(57)【要約】本発明は、格納層として作用し、加熱によって局部的に変更され得、データ格納媒体（１’）のカバー層として構成されているポリマーフィルム（２）を含む、ホログラフィーデータ格納媒体（１’）に関する。吸収体色素を含む吸収層（４）がポリマーフィルムの下に設けられている。吸収体色素は、情報を入力する記録ビームを少なくとも部分的に吸収し、かつ、このようにして生成された熱を少なくとも部分的に局部的にポリマーフィルム（２）に放出するように設計されている。データ格納媒体（１’）の有利な実施形態において、接着剤の層（６）が吸収層（４）の下に設けられ、部分的に透過性の反射層（８）がポリマー層（２）と吸収層（４）との間に設けられている。
2004530933.tif 000002
【特許請求の範囲】
【請求項１】
加熱によって局部的に変化し得、かつデータ格納媒体（１，１’）の上層として設定されている格納層として設定されているポリマーフィルム（２）を備え、該ポリマーフィルム（２）の下に設けられて吸収体色素を有する吸収層（４）をさらに備えたホログラフィーデータ格納媒体であって、該吸収体色素は、該ポリマーフィルム（２）に情報を与え、かつ、その過程で生成された熱を該ポリマーフィルム（２）に少なくとも部分的に局部的に放出するように作用する書込みビームを少なくとも部分的に吸収するように設定されている、ホログラフィーデータ格納媒体。
【請求項２】
接着層（６）が前記吸収層（４）の下に設けられていることを特徴とする、請求項１に記載のホログラフィーデータ格納媒体。
【請求項３】
部分的に透明な反射層（８）が前記格納層（２）と前記吸収層（４）との間に設けられていることを特徴とする、請求項１または２に記載のホログラフィーデータ格納媒体。
【請求項４】
前記反射層（８）が１ｎｍから５０ｎｍの範囲の厚みを有することを特徴とする、請求項３に記載のホログラフィーデータ格納媒体。
【請求項５】
反射層（８’）が前記吸収層（４’）の下に設けられていることを特徴とする、請求項１または２に記載のホログラフィーデータ格納媒体。
【請求項６】
前記反射層（８、８’）がアルミニウムを有することを特徴とする、請求項３から５のいずれかに記載のホログラフィーデータ格納媒体。
【請求項７】
前記ポリマーフィルム（２）が延伸されており、好適には２軸延伸されていることを特徴とする、請求項１から６のいずれかに記載のホログラフィーデータ格納媒体。
【請求項８】
前記ポリマーフィルム（２）が、ポリプロピレン、ポリビニルクロリド、ポリエステル、ポリエチレンテレフタレート、ポリエチレンナフタレート、ポリメチルペンテン、およびポリイミドからなる群より選択される材料を有することを特徴とする、請求項１から７のいずれかに記載のホログラフィーデータ格納媒体。
【請求項９】
前記吸収層（４）が結合材を有することを特徴とする、請求項１から８のいずれかに記載のホログラフィーデータ格納媒体。
【請求項１０】
前記ポリマーフィルム（１２）の屈折率が加熱により局部的に変化し得、光位相情報を該ポリマーフィルム（１２）の局部的光路長を介して格納することが可能であることを特徴とする、請求項１から９のいずれかに記載のホログラフィーデータ格納媒体。
【請求項１１】
前記ポリマーフィルム（３２）の界面構造が加熱により局部的に変化し得、ホログラフィー情報を該ポリマーフィルム（３２）の局部的界面構造を介して格納することが可能であることを特徴とする、請求項１から１０のいずれかに記載のホログラフィーデータ格納媒体。
【請求項１２】
前記吸収体色素が、情報を与えるように作用する書込みビームを吸収するときにその光学特性が局部的に変化し得るように、設定されていることを特徴とする、請求項１から１１のいずれかに記載のホログラフィーデータ格納媒体。
【請求項１３】
格納されたホログラフィー情報を特徴とする、請求項１から１２のいずれかに記載のホログラフィーデータ格納媒体。
【請求項１４】
加熱によって局部的に変化し得、かつデータ格納媒体（１，１’）の上層として設定されている格納層として設定されているポリマーフィルム（２）を備え、該ポリマーフィルム（２）の下に設けられて吸収体色素を有する吸収層（４）をさらに備えたデータ格納媒体であって、該吸収体色素は、該ポリマーフィルム（２）に情報を与え、かつ、その過程で生成された熱を該ポリマーフィルム（２）に少なくとも部分的に局部的に放出するように作用する書込みビームを少なくとも部分的に吸収するように設定されている、データ格納媒体の、ホログラフィーデータ格納媒体としての使用。
【請求項１５】
前記データ格納媒体（１，１’）が、請求項２から９のいずれかに記載のホログラフィーデータ格納媒体の特徴を有していることを特徴とする、請求項１４に記載の使用。
【請求項１６】
前記ポリマーフィルム（１２）の屈折率が加熱により局部的に変化し得、光位相情報を該ポリマーフィルム（１２）の局部的光路長を介して格納することが可能であり、該ポリマーフィルム（１２）は好適には情報を読出すときに透過照明されることを特徴とする、請求項１４または１５に記載の使用。
【請求項１７】
前記ポリマーフィルム（３２）の界面構造が加熱により局部的に変化し得、ホログラフィー情報を該ポリマーフィルム（３２）の局部的界面構造を介して格納することが可能であり、該ポリマーフィルム（３２）は好適には前記吸収層（３４）への界面であることを特徴とする、請求項１４から１６のいずれかに記載の使用。
【請求項１８】
前記吸収体色素が、情報を与えるように作用する書込みビームを吸収するときにその光学特性が局部的に変化し得るように、設定されていることを特徴とする、請求項１４から１７のいずれかに記載の使用。
【請求項１９】
請求項１から１３のいずれかに記載のホログラフィーデータ格納媒体に情報を与える方法であって、格納されたオブジェクトのホログラムに含まれたホログラフィー情報が２次元アレイとして計算され、書込みデバイス、好適にはレーザリトグラフからの書込みビーム（２２）が、ポリマーフィルム（１２、３２）および／またはデータ格納媒体（１１、３１）の吸収層（１４、３４）に向けられ、かつ、該ポリマーフィルム（１２、３２）の局部特性が該ホログラフィー情報に応じて設定されるように該２次元アレイに応じて駆動される、方法。
【請求項２０】
前記書込みビーム（２２）が、上層（１２、３２）の側から前記ホログラフィーデータ格納媒体（１１、３１）に向けられることを特徴とする、請求項１９に記載の方法。
【請求項２１】
請求項３に記載の部分的に透明な反射層（１８、３８）を有するホログラフィーデータ格納媒体（１１、３１）であって、前記書込みビーム（２２）をフォーカスするために、前記反射層（１８、３８）からの該書込みビームの反射が評価されることを特徴とする、請求項１９または２０に記載の方法。
【請求項２２】
前記ホログラフィー情報が所定のサイズのピット（２０、４０）という形態で与えられることを特徴とする、請求項１９から２１のいずれかに記載の方法。
【請求項２３】
前記ホログラフィー情報がバイナリ符号化された形態で前記ピット（２０、４０）に格納されることを特徴とする、請求項２２に記載の方法。
【請求項２４】
前記ホログラフィー情報が連続的に符号化された形態で前記ピット（２０、４０）に格納され、該ピット（２０、４０）内の前記ポリマーフィルム（１２、３２）の局部特性が所定の値の範囲からの値に応じて設定されることを特徴とする、請求項２２に記載の方法。
【請求項２５】
請求項１から１３のいずれかに記載のホログラフィーデータ格納媒体から情報を読出す方法であって、光（２４、４６、４７）、好適にはコヒーレントな光がデータ格納媒体（１１、３１）の格納層（１２、３２）の大きい領域に向けられ、ホログラフィー画像が該データ格納媒体（１１、３１）からある距離で、照射された部分に含まれる情報の復元物として登録される、方法。
【発明の詳細な説明】
【技術分野】
【０００１】
本発明は、ホログラフィックデータ格納媒体に関し、例えば、ホログラフィックデータ格納媒体は、写真、ロゴ、テキストなどの絵で表わしたデータを格納することに対して使用され得るが、他のデータの格納のためにも使用され得る。
【背景技術】
【０００２】
物体に関する光学的位相情報は、ホログラム全体に分散して含まれている。このため、光（具体的にはレーザからのコヒーレント光）で照射すると、物体の像がホログラムから再構成される。ホログラムは、テクノロジーにおいて、例えば、大体は、偽造防止（ｆｏｒｇｅｒｙ−ｐｒｏｏｆ）識別子の形式で複数および種々の方法が使用される。このタイプの識別子は、例えば、クレジットカードまたはチェックカードに見られる。すなわち、白色光ホログラムとして知られるように、自然光で照射される場合でさえ、白色光ホログラムは、描写される物体の３次元画像を示す。写真のように（ｐｈｏｔｏｇｒａｐｈｉｃａｌｌｙ）生成されたホログラムは、浮き出しホログラムとして広く知られており、浮き出しホログラムにおいて、レリーフ（ｒｅｌｉｅｆ）構造は、材料の表面に浮き出され、材料にて物体を再生するために使用される光はその表面で、ホログラムに格納される位相情報にしたがって散乱される。その結果、物体の再構成された画像は、干渉の効果によって生成される。
【０００３】
ＷＯ００／１７８６４は、光学的情報キャリアを有するデータ格納媒体を示す。データ格納媒体は、格納層として設定されるポリマー膜を含む。このポリマー膜は、例えば、２軸配向ポリプロピレンからなる。以前に開示されたデータ格納媒体において、ポリマー膜は、コア上に複数の層をらせん状に巻きつけられ、調整された層間の各場合において接着性の層が存在する。情報は、データドライブから書き込みビームで局所的に熱されるポリマー膜によってデータ格納媒体に書き込まれ得る。ポリマー膜の屈折率およびポリマー膜の表面での反射量は、局所的に変化される。少なくとも部分的に、書き込みビームを吸収し、ポリマー膜に対する局所的な処理において生成される熱を放出する接着性の層に付加される吸収体色素（ａｂｓｏｒｂｅｒ  ｄｙｅ）によって、この影響は、増幅され得る。データドライブにおける読み出しビームによって、ポリマー膜における変化が、記録される。なぜなら、読み出しビームは、書き込まれる情報に依存して、ポリマー膜の表面で多かれ少なかれ激しく局所的に反射されるからである。書き込みビームまたは読み出しビームの焦点を合わせることによって、情報は、情報キャリア上のあらかじめ選択された位置に具体的に書き込まれ得、そのキャリアから読み出され得る。
【０００４】
安価であり、アプリケーションの広い領域を有し、かつ、外部の影響にかなり鈍感であるホログラフィックデータ格納媒体を提供することが、本発明の目的である。
【０００５】
この目的は、請求項１の特徴ホログラフィックデータ格納媒体によっておよび、請求項１４に記載されたデータ格納媒体を用いることによって達成される。情報をこのタイプのデータ格納媒体に入れる方法は、請求項１９で特定され、請求項２５でこのタイプのデータ格納媒体の情報を読み出す方法が特定される。本発明の有利な改良点は、従属請求の範囲で言及される。
【発明の開示】
【課題を解決するための手段】
【０００６】
本発明によるホログラフィックデータ格納媒体は、格納層として設定され、熱することにより局所的に変化され得るポリマー膜を有する。このポリマー膜は、データ格納媒体の最上部の層として設定される。下部に配列されるポリマー膜は、吸収層であり、吸収層は、情報を挿入し、ポリマー膜に対する少なくとも部分的に局所的な処理で生成される熱を放出する役目がある書き込みビームを少なくとも部分的に吸収するために設定される。格納層として設定されるポリマー層は、データ格納媒体における一つの層に好適に配列され、つまり、例えば、らせん状に複数の層に巻きつけられない。
【０００７】
ポリマー層は、データ格納媒体の最上部の層として設定されるので、データ格納媒体の露出した外側としての役目があり得、一般的に相対的に下部に配置される敏感な吸収層を保護する。さらに、以下でさらに詳細に説明されるように、ホログラフィック情報が格納されるポリマー膜を熱し、使用することによって影響されるポリマー膜での変化は、吸収層の近傍で主に局在化される。したがって、格納される情報を有して提供されるポリマー膜のこの領域は、保護される区間に同様に配置される。したがって、引っ掻き傷などの露出された外側での所望されない影響は、概して、さらなる影響も有さない。特に、情報をデータ格納媒体に挿入する場合にデータを損失したりまたは失敗したりしない。
【０００８】
本発明によるホログラフィックデータ格納媒体は、シンプルに構成される。なぜなら、概して、さらなる保護デバイスを必要としないので、安価に生成され得る。
【０００９】
接着層は、好適には、吸収層の下部に配列され、これにより物体にホログラフィックデータ格納媒体がくっつくことが可能になる。接着層が吸収層の直下に配置される場合、吸収層、および、ホログラフィック情報を格納されるポリマー膜の近接した領域を、同時に保護する。例えば、接着性の層は、水性アクリル酸塩エマルジョンを含む粘着性の化合物を含み得るか、または、官能性を持ったポリ（メタ）アクリル酸塩からなり得る。他の材料はまた、接着性の層に対して使用され得る。接着性の層の一つの好ましい厚さは、約２０μｍであるが、他の厚さもまた可能である。
【００１０】
本発明の有利な改良点において、部分的に透過な反射層は、格納層と吸収層との間に配置される。反射層は、アルミニウムを有し得、好適には、１ｎｍ〜５０ｎｍの範囲の厚さを有し、他の厚さも可能である。情報が挿入される際に、書き込みビームが吸収層まで貫通するために、部分的に透過である。反射層は、薄いので、ポリマー膜に対する熱の放出を妨げない。反射層は、反射で格納されたホログラフィック情報を読み出すことが容易になされる。ホログラフィック情報を読み出すことは、ほとんどのアプリケーションにおいて有益なジオメトリを表わす。このことは、例を使用して以下でさらに説明される。さらに、反射層は、書き込みビームの焦点を設定する操作を容易にする（以下を参照）。
【００１１】
吸収層の下部に反射層を配置することもまた可能である。接着層が存在する場合、この反射層は、好適には吸収層と接着層との間に位置される。この種の層構成によって、ホログラフィックデータ格納媒体から情報が読み出されている時、伝送して貫通されることが可能になる。その結果、例えば、入力情報に応じて吸収層内の吸収色素の吸収容量が変化する場合、読み出し信号のコントラストは、増幅される（増幅効果；以下を参照）。
【００１２】
ポリマー膜に対する適切な材料は、例えば、ポリプロピレン、ポリ塩化ビニル、ポリエステル、ポリエチレンテレフタレート（ＰＥＴ）、ポリエチレンナフタレート、ポリメチルペンテン（ＰＭＰ；また、ポリ−２−メチルペンテン）およびポリイミドである。好適には、ポリマー膜は、自動で支え、上述の保護機能を実行し得る。適切な厚さは、１０μｍ〜１００μｍの範囲であるが、他の厚さも同様に可能である。
【００１３】
ポリマー膜は、方向を合わせられ得、好適には２軸に方向を合わせられる。例えば、製造の間にその平面内で相互に垂直な２つの方向に予め張力をかけられる。これは、概して、ポリマー膜の強度を増加する。さらに、方向付けられたポリマー膜の場合、高エネルギー密度が、フィルム材料に格納される。単位面積に比較的小さなエネルギーの量を堆積して局所的に加熱した結果として、例えば、書き込みデバイスからの吸収層に吸収される書き込みビームの援助で、ポリマー膜の局所的な特性を変化させることによって、比較的に激しい特性の変化が達成され得る。
【００１４】
吸収体色素に加えて、好適には吸収層は、結合剤を有する。吸収体色素は、比較的低い強度の書き込みビームによって、ポリマー膜の局所的な特性を変化させるために十分なポリマー膜の局所的な加熱を可能にする。吸収層は、薄くなり得、例えば０．１μｍ〜５μｍの範囲の厚さを有する。他の厚さもまた、同様に可能である。吸収体色素の分子のマトリクスの役目を果たす好適な結合剤は、例えば光学的透過ポリマー、例えばポリメチルメタクリル酸（ＰＭＭＡ）または、高温の場合のポリメチルペンテン、ポリエーテルエーテルケトン（ＰＥＥＫ）またはポリエーテルイミドである。吸収体色素の最大吸収は、効率的な吸収を達成するために、使用される書き込みビームの光の波長と一致するべきである。レーザによって生成される５３２ｎｍの光の波長の書き込みビームに対しては、例えば、Ｓｕｄａｎ  ｒｅｄ  ｆａｍｉｌｙ（ジアゾ色素）または（特に極性のあるプラスチックのための）イオシンスカーレット（ｅｏｓｉｎ  ｓｃａｒｌｅｔ）からの色素が適している。６５０ｎｍから６６０ｎｍまたは６８５ｎｍの光の波長を有する通常のレーザダイオードに対しては、例えば、スチリルファミリー（ｓｔｙｒｙｌ  ｆａｍｉｌｙ）からの緑の色が、より適している。
【００１５】
情報を格納するために後者の局所的加熱によって影響される、ポリマー膜の特性を局所的に変化させることを用いるために種々の可能な方法が存在する。
【００１６】
一つの可能な方法において、ポリマー膜の屈折率は、加熱することによって局所的に変化され得る。この方法によって光学位相情報が局所的な光路長（ｌｏｃａｌ  ｏｐｔｉｃａｌ  ｐａｔｈ  ｌｅｎｇｔｈ）を介して、ポリマー膜に格納されることが可能である。この場合、情報を読み出すときの伝送にポリマー膜を透過して照射する準備がなされている（反射層を有効とすることができる、以下を参照）。したがって、ポリマー膜において、（つまり、一ユニットの情報を格納するために提供される領域において）この領域の屈折率が（たとえば、書き込みデバイスからの書き込みビームによって）加熱されて変化することによって局所的に位相情報を格納することを可能にする。この屈折率の局所的変化は、ポリマー膜が情報を読み出す際に使用される（伝送中にポリマー膜を透過して照射する）放射の光路長の変化に影響する。光路長は、特に、幾何学経路長と屈折率との積である。したがって、屈折率における変化によって、情報を読み出す際に使用される放射の局所的位相角度が、影響され得る。つまり、所望のホログラフィック情報は、位相情報として格納され得る。したがって、この方法におけるポリマー膜で生成されるホログラムは、屈折位相ホログラムである。
【００１７】
別の可能性のある方法において、ポリマー膜の表面構造または境界面構造は、加熱によって局所的に変化され、ホログラフィック情報がポリマー膜の局所境界面構造を介して格納されることを可能にする。したがって、この場合、ポリマー膜の露出された外側から離れたポイントの、特に吸収層または反射層の境界面での、境界面構造またはポリマー膜のトポグラフィ（ｔｏｐｏｇｒａｐｈｙ）は、たとえば、書き込みビームとして役目を果たすレーザビームが吸収層またはポリマー膜の境界範囲に焦点を合わされることによって、局所的に変化され得る。その結果、光のエネルギーは、そこで吸収され、熱エネルギーに変換される。特に、レーザビームが短く（パルス状）に放射される場合、一般的にポリマーの（または、とても薄い反射層の）乏しい熱伝導性の原因で、境界面構造における局所変化を導くポリマー膜における材料の変化は、とても少ない量に制限される。ホログラフィー情報がポリマー膜内に点で入れられた場合に、ある点に関連する領域がほぼ０．５μｍ〜１μｍの大きさの横方向直線長さを有しているので、ポリマー膜の高さは、５０ｎｍ〜５００ｎｍだけ通常変化する。この高さは、詳細には、書き込みビームの特性および動作状態、ならびに、吸収層にある、および屈折層にあり得るポリマー膜の特性に依存している。。ポイントグリッド、つまり、２つのポイント（「ピット」）の間の中心の間隔は、一般的に、１μｍ〜２μｍの範囲にある。概して、書き込みビームのより短い光の波長がより狭いポイントグリッドを可能にする。
【００１８】
混合された形式もまた、考えられ得る。混合された形式において、ホログラフィック情報は、屈折率の局所的変化によっておよびポリマー膜の境界面構造における局所的な変化の両方によって、格納され得る。
【００１９】
吸収体色素が、情報を挿入するために供給する書き込みビームを吸収する際に、局所的に変化されるようにその光学的特性は、設定され得る。この場合、吸収体色素が吸収体色素の吸収量を局所的に変化させる（つまり、書き込みビームによって部分的または完全に退色することによって）場合に特に有利である。吸収体層における吸収容量の局所的変化を用いて、変化によってポリマー膜で達成される効果は、強化され得る。その結果、ホログラフィックデータ格納媒体を読み出す際に得られる信号は、吸収体層がデータ格納に加らない場合よりもより激しく、よりコントラストが強い。読み出し信号における個々の効果（ポリマー膜の局所的屈折率、ポリマー膜の局所的境界面構造、局所的に退色された吸収体色素の結果としての増幅効果）の重みは、従って、情報が読み出されるときに部分的に退色した吸収層が透過して照射されるとき（例えば、反射層が吸収層の下に配置されるとき）に、増幅効果は、比較的高い。
【００２０】
格納されるべき情報は、二次元配列として計算されて格納された物体のホログラムに含まれるホログラフィック情報のアイテム（ｉｔｅｍ）によって、および、書き込みデバイス（好ましくはレーザリソグラフ）によって、ホログラフィックデータ格納媒体内に入れられ得る。これらは、データ格納媒体のポリマー膜および／または吸収層に向けられて、二次元配列に従って駆動される。これにより、ポリマー膜の局所的特性は、ホログラフィック情報に従って設定される。格納される物体での光の散乱の間の物理的プロセスは公知なので、ホログラム（ホログラムにおいて、物体（格納される物体）によって散乱されたレーザからのコヒーレント光は、コヒーレント参照を有する干渉をもたらし、この処理によって生成された干渉パターンはホログラムとして記録される）を生成するための従来の構成は、たとえば、コンピュータプログラムの支援でシミュレートされ得、干渉パターンまたはポリマー膜の局所的な特性のモジュレーションは、２次元配列（２次元アレイ）として計算され得る。
【００２１】
すでに、さらに上記で説明されたように、ホログラフィック情報にしたがって設定されるポリマー膜の局所的特性の例は、ポリマー膜の局所的屈折率および局所的境界面構造である。
【００２２】
適切なレーザリソグラフの分解能は、一般的に、およそ５００００ｄｐｉ（ドットパーインチ）である。したがって、ポリマー膜は、およそ０．５μｍから１μｍのサイズの領域またはピットで局所的に変化され得る。書き込み速度および他の詳細は、とりわけ、書き込みレーザ（レーザパワー、光の波長）のパラメータ、パルス持続時間、ならびに、ポリマー膜および吸収体層の特性に依存する。
【００２３】
書き込みビームは好適には、最上層の側からホログラフィックデータ格納媒体に向けられる。この場合、たとえば、接着層が良い光学特性を有さない場合、または、データ格納媒体が非透過基板に接着される場合、データ格納媒体に情報を入れることが可能にである。
【００２４】
さらに上述のように、ホログラフィックデータ格納媒体が部分的に透過反射層を有する場合、書き込みビームに焦点を合わせるために、反射層からの反射が、評価され得る。非反射層が、そこに、配置されるが、反射層によってかなり強化される場合、異なる屈折率を有する二つのメディア間の境界面での反射の場合に、比較可能な反射も起こる。評価は、検出器によって測定される反射の大きさを介して、たとえば、実行され得、正確な焦点設定が、たとえば、キャリブレーション測定によって決定されることが可能になる。反射層が非常に薄い場合（約１ｎｍ〜５０ｎｍ、しかし、それ以上またはそれ以下）、反射層に設定される書き込みビームの焦点が、吸収体層で最適な焦点と実質的に一致することが想定され得る。したがって、情報が入れられる場合、吸収体層は、実質的に最適な方法で加熱され得る。
【００２５】
上述のように、ホログラフィック情報は、好適には、所定のサイズのピットの形式で挿入される。用語「ピット」は、変化される領域および、そのオリジナルの意味（穴または下降）に制限されないのという意味であることがより一般的に理解されるべきである。この場合、ホログラフィック情報は、バイナリ符号の形式でピットに格納され得る。このことは、所与のピットの領域において、ポリマー膜の局所的特性が二つの可能性のある基本的な形式（基本の値）のうちの一つのみを想定することを意味する。これらの基本的な形式は、好適には、かなり異なる。実際に起こる、一つまたは他の基本的な形式の近くにある中間形式が、確実におよび明確に情報を格納するために一つまたはほかの基本的な形式に明らかに割り当てられ得る。
【００２６】
もしくは、ホログラフィック情報は、連続的に符号化された形式で、ピットに格納され得、ピットのポリマーフィルムの局所的な特性は、所定の値の範囲内の１つの値に従って、設定される。例えば、ポリマーフィルムの局所的な界面構造が設定されるべき場合、従って、ピットの界面構造における局所的な最大高さは、所定の値の範囲から選択される。このことが意味するのは、所与のピットにおいて、ポリマーフィルムの界面構造が２つの基本の形式の間の中間の形式を仮定し得、それにより、存在する中間の形式の最大高さ変化は、制限が２つの基本の形式の最大高さ変化によって与えられる所定の値の範囲内の１つの値を仮定するということである。この場合、従って、その情報は、「グレイステップ」に格納され得、それにより、各ピットは、複数のビットの情報のコンテンツに割り当てられる。このことは、ポリマーフィルムの局所的な屈折率の設定に、対応して当てはまる。
【００２７】
本発明のホログラフィックデータ格納媒体から情報を読み出すためには、光、好ましくは、（例えば、レーザーからの）コヒーレント光が、データ格納媒体の格納層の大領域において、対象とされ得る。この場合、光は、ポリマーフィルムの特性（例えば、屈折率または界面構造）を局所的に変化させることによって変調される。照射された領域に含まれる情報の復元の際に、ホログラフィック画像は、例えば、データ処理デバイスに接続されるＣＣＤセンサーによって、データ格納媒体からの距離を置いて記録される。
【００２８】
原則的に、読み出し動作は、ホログラフィックデータ格納媒体の透過によって実行され得る。すなわち、データ格納媒体は、完全に光を透過させ、ホログラフィック画像は、データ格納媒体の後ろに記録される。しかし、このために、データ格納媒体の全ての層は、良好な光学品質、すなわち、ポリマーフィルムだけでなく吸収体層および光学接着層を有しなければない。従って、反射における情報の読み出しがより有利になり、読み出しのために利用される光は、ポリマーフィルムを通過した後に反射する。この場合、ホログラフィック画像は、ポリマーフィルムを２度通過し、かつ、このプロセスにおいて、例えば、ポリマーフィルムの屈折率および／または界面構造の局所的な変化によって変調した光によって生成される。原則的に、読み出しは、別々の反射層が存在しない場合に、反射において実行され得る。唯一の前提条件は、異なる屈折率を有する２つの媒体間の界面が存在することである。しかし、ポリマーフィルムと吸収体層との間の記載された反射層は、ホログラフィック画像の再生成を大幅に改良する。
【００２９】
用語「大領域」は、ピットの領域よりも大幅に大きい領域を意味するとして理解されるべきである。この意味では、例えば、１ｍｍ２の領域は大きい。情報が格納および読み出しされるスキーマに対して、多くの異なる可能性が存在する。ホログラムが１つの動作で照射される場合、ホログラフィックデータ格納媒体設定の領域の全体領域によって、１つの動作でポリマーフィルムからホログラムが読み出されると考えられる。しかし、特に、比較的大領域の場合では、格納されるべき情報を多くのまたはかなり多くの各領域に分割し、所定の各領域から１つの動作のみで情報を読み出すために、有利となる。
【００３０】
情報の読み出しの間、ポリマーフィルムの特性を局所的に変化させる結果として、様々な点からの発生する光波の伝送時間に違いが発生し、すなわち、実質的な周期的位相変調（特に、ポリマーフィルムの屈折率または界面構造の局所的な設定の場合に適用される）である。光に覆われるポリマーフィルムの領域は、所定の態様で入射光を偏向させる回折格子と同一の方法で動作する。偏向された光は、格納されたホログラフィック情報の復元を構成する、格納されたオブジェクトの画像を形成する。
【００３１】
原則的に、異なるタイプの格納されたオブジェクトからのホログラフィック画像は、ホログラフィックデータ格納媒体とともに利用され得る。例えば、写真、ロゴ、テキスト等の画像に含まれる情報は、格納され、読み出され得る。しかし、機械読み出しデータの格納は、特に有利である。これは、例えば、データページとして公知であるものの形式で実行され、グラフィックビットパターンのホログラムに含まれるホログラフィック情報（データ情報を表わす）は、格納層として機能するポリマーフィルムへ説明されるように配置される。読み出しの間に、このグラフィックパターンのホログラフィック画像が生成される。そこに含まれる情報は、例えば、正確に調整されたＣＣＤセンサーによって記録され得、関連する評価ソフトウェアによって処理され得る。高い正確さが重要でない画像の複製では、単なるマットディスク、または、例えば、ＬＣＤスクリーンを有するカメラは、すでに原則的に十分である。機械読み出し可能データのホログラフィック格納の間に、説明されたように、情報が連続的に読み出される必要がないが、データセット全体は、１つの動作で記録され得ることは有利である。情報を格納するために機能するデータ格納媒体の領域のポリマーフィルムのさらされた外側による保護に関わらず、損傷が発生した場合、従来のデータ格納媒体と反対に、これは、一般的に、データの損失を導かないだけでなく、情報を読み出す際の復元されたホログラフィック画像の解像度の欠損も導かない。これは、一般的に問題とはならない。
【００３２】
以下のテキストにおいて、本発明は、例示的な実施形態をさらに利用して説明される。
【００３３】
図１は、第１の実施形態によるホログラフィクデータ格納媒体１の縦方向の断面図の詳細を、概略的に、縮尺に関係なく示す。データ格納媒体１は、さらされた外側３により、同時に格納層として、および、上部層として機能するポリマーフィルム２を含む。例示的な実施形態において、ポリマーフィルム２は、自立型である。ポリマーフィルム２の下面であり、かつ、ポリマーフィルム２に隣接して配置されるのが、吸収体色素を有する吸収体層４である。その下面には、接着層６が存在し、接着層６は、データ格納媒体１の解放された状態では、好ましくは、剥され得るフィルムまたはシリコーンペーパーによって覆われる。ここで、および、以下のテキストにおいては、用語「上に」または「下に」は、図に示したものに関係する。しかし、データ格納媒体はまた、あらゆる他の方向に配置され得る。
【００３４】
この例示的な実施形態では、ポリマーフィルム２は、３５μｍの厚みを有するポリプロピレンのニ軸配向フィルム（ＢＯＰＰ）である。より薄いまたはより厚いフィルムが、同様に考えられる。さらに上記に説明されたように、他の材料のフィルムもまた適切である。
【００３５】
この例示的な実施形態における吸収体層４は、結合剤としてポリメチルメタクリレート（ＰＭＭＡ）を含み、結合剤に対して、吸収体色素Ｓｕｄａｎレッド７Ｂが付加される。この例示的な実施形態では、吸収体層は、ポリメチルメタクリレートの質量による１０．５％の溶液、および、トルエンのＳｕｄａｎレッド７Ｂの質量による１．２％の溶液から生成され、これは、線形に刻みこまれたロールを用いてポリマーフィルム２の下側に付加される。吸収体層の厚みは、約０．５μｍであり、好ましくは、０．３μｍから１．０μｍの範囲にある。しかし、他の層の厚みも、同様に考えられる。吸収体層４がより接着するためには、吸収体層４の付加の前に、ポリマーフィルム２の下側は、根本的に公知であるプロセスに従って、前処理され得る。
【００３６】
この例示的な実施形態における接着層６は、水溶性アクリレートの分散から生成され、２３±４μｍの層の厚さを有する。他の層の厚さが、同様に可能であり、他の接着化合物も利用され得る。吸収体層４の下側は、接着層６の付加の前に前処理され、接着層６の良好な接着を保証する。
【００３７】
吸収体層４および情報が置かれる際に変化するポリマーフィルム２の領域は、データ格納媒体１の内部領域にあり、外側３および接着層６を有するポリマーフィルム２の上部領域によって保護される。
【００３８】
図２は、ホログラフィックデータ格納媒体の第２の実施形態である図１と同様の図であり、ここで、設計された１’である。ちょうどデータ格納媒体１のように、データ格納媒体１’は、さらされた外側３により格納層および上部層として設定されるポリマーフィルム２（ここで、ポリエチレンテレフタレートから作られる）、吸収体層４および接着層６を有する。さらに、ポリマーフィルム２と吸収体層４との間に反射層８が存在する。
【００３９】
この例示的な実施形態において、反射層８は、厚みを有するポリマーフィルム２の下側に蒸着されたアルミニウムからなり、その結果は、５０％の透過である。好ましい層の厚みは、１ｎｍから５０ｎｍの範囲にあるが、より小さいまたはより大きい値も可能である。そのような小さい厚みが与えられると、反射層８は部分的に透明であることにより、ポリマーフィルム２の外側３を対象とする白色ビーム（例えば、レーザーリソグラフからのものであり、以下を参照されたい）が、吸収体４に到達するために、反射層８を通過し得る。
【００４０】
既に述べたように、一連の材料が、ホログラフィックデータ格納媒体の各層に対して可能であり、層の厚みもまた、多くの数の値を仮定し得る。さらに、付加的な層が考えられる。白色ポリマーフィルム２は、データ格納媒体１および１’の場合、自立型であり、さらなる硬いキャリア層が、例えば、吸収体層と接着層との間に別の実施形態において提供され得る。
【００４１】
図１を用いて説明されるこの例示的な実施形態では、吸収体層４は、吸収体色素Ｓｕｄａｎレッド７Ｂを有し、この分子は、光学的に透明なポリマー、特にポリメチルメタクリレート（ＰＭＭＡ）のマトリクスに組み込まれ、吸収体層４は約０．５μｍの厚みを有する。Ｓｕｄａｎレッド７Ｂは、約５３２ｎｍの範囲の波長の光を特によく吸収する。この波長は、情報をデータ格納媒体に置くレーザーリソグラフからの白色ビームに適している。他の吸収体色素の例は、さらに上記に示される。例えば、例えばｓｔｙｒｙｌ族の緑色色素は、特に６３５ｎｍまたは６５０から６６０ｎｍまたは６８５ｎｍの光の波長に対して特に適しており、それにより、現在のＤＶＤデバイスのレーザーダイオードは動作している。このタイプのレーザーダイオードは、直接変調され得、それにより、パルスの生成を実質的により単純に、より安価にする。将来的には、３８０から４２０ｎｍの範囲もまた、適切なブルーレーザーダイオードが商業的かつ安価になり得れば、対象となる。このため、弱い供与体および受容体で構成するスチルベン、供与体構成のニトロベンゼンあるいはクマリン色素等の黄色吸収体色素が、好ましくは利用されるべきである。
【００４２】
吸収体層４は、０．２から１．０の範囲の好ましい光学密度を有する。しかし、他の値も、同様に考えられる。光学密度は、吸収の測定であり、ここでは、白色ビームの光の波長に基づいている。光学密度は、利用される白色ビームの波長の吸光係数の結果と一致する、吸収体層の透過、吸収体層４の吸収体色素の密度、および、吸収体層４の厚みのマイナス１０の対数として定義される。
【００４３】
以下のテキストにおいて、図３から５を利用して、どのように情報が、図２を利用して説明された実施形態によるホログラフィクデータ格納媒体内に置かれ得、そこから読み出され得るのかについての説明がなされる。ホログラフィクデータ格納媒体は、設計された１１であり、さらされた外側１３を有するポリマーフィルム１２、吸収体層１４、接着層１６および部分的に透明の反射性層１８を有する（図４を参照されたい）。図１および２と同様の方法で、図３から５は、縮尺されるべきでない。ポリマーフィルム１２は、ここで、ニ軸配向ポリエチレンテレフタレート（ＰＥＴ）からなり、５０μｍの厚みを有する。ニ軸配向ポリエチレンテレフタレートの屈折率は、情報を格納するために用いられる加熱によって局所的に変化し得る。
【００４４】
ポリマーフィルム１２内では、情報は、ピット２０の形式で格納される。ピット２０の領域において、ポリマーフィルム１２は、ピット２０の間の領域の屈折率と異なる屈折率を有する。用語「ピット」は、ここで、変化した領域という意味で理解され得る。すなわち、元来の意味（「孔」）より一般的である。この場合、情報は、屈折率が２つの異なる値を仮定することにより（２つの値のうちの１つが、ピット２０の間の領域において、ポリマーフィルム１２の屈折率と一致し得る）、２進符号化された形式でピットに格納され得る。連続的に符号化された形式で、ピット２０に情報を格納することも可能であり、ピット２０内の屈折率が、所定の値の範囲から任意の所望の選択された値を仮定することが可能である。明らかな用語では、２進符号化された形式での格納の場合、ピットは、「黒」または「白」であり、連続して符号化された形式での格納の場合、全ての中間にあるグレーの値も仮定し得る。
【００４５】
図３は、データ格納媒体１１の詳細の概略的な平面図であり、レーザーリソグラフからの白色ビームにより生成されるピット２０の配置を示す（図４を用いて以下にさらに説明される）。この例示的な実施形態では、ピット２０は、約０．８μｍの半径を有する。環状ピット２０以外の形状、例えば、正方形または長方形ピットが同様に可能であり、また、他のサイズも可能である。ピットの典型的な大きさは、好ましくは、約０．５μｍから２．０μｍである。図３は、従って、非常に拡張された図である。
【００４６】
図４は、書き込みデバイス（この例示的な実施形態におけるレーザーリソグラフ）からの白色ビーム２２により、ピット２０が生成される概略的な方法を概略的に示す。第１に、白色ビーム２２は、およそ吸収体層１４において最小の断面を有する方法で、焦点が合わされる。この場合、部分的に透明な反射層１８が、良好な補助となる。なぜなら、反射が評価される書き込みデバイスへ白色ビームを偏向して戻させるからである。焦点の位置が最適化されるまで、白色ビーム２２の光学的焦点合わせ（ｆｏｃｕｓｉｎｇ  ｏｐｔｉｃｓ）が調整される。この例示的な実施形態では、焦点２３は、薄い反射層１８にあり、これは、実現が最も簡単である。焦点合わせ動作の間に、白色ビーム２２は、焦点近傍を過度に加熱することを避けるために、低電力で動作し得る。
【００４７】
図４における白色ビーム２２およびその焦点２３の表現は、非常に概略的である。光の波の特性のために、焦点２３は、点のように成形されないが、ピット２０の半径と類似した大きさを有し、その結果、白色ビーム２２は、データ格納媒体１１内のピットの大きさの領域を比較的均一に加熱することができる。この場合の最大の加熱は、吸収体層１４内で発生する。なぜなら、それが焦点２３の領域内に配置され、吸収体色素が白色ビーム２２を吸収するからである。このプロセスにおいて解放される熱は、反射層１８を介してポリマーフィルム１３に大いに伝達し、これにより、ピット２０の領域におけるポリマーフィルムの屈折率の局所的変化に影響する。ポリマーフィルム１２は実質的に下部領域において加熱され、ピット２０は、ポリマーフィルム１２の全厚みを越えて拡張しない。実際には、ピット２０の上部領域からポリマーフィルム１２の中央領域までの遷移領域は連続的であり、すなわち、屈折率は、この領域において徐々に変化し、図４に示されるように鋭く区切られない。
【００４８】
ピット２０の上部領域とポリマーフィルム１２の外側１３との間の距離は、比較的大きく、その結果、白色ビーム２２により生成されるピット２０は、外部の影響に対して比較的安全なポリマーフィルム１１の領域にある。
【００４９】
ポリマーフィルム１１へ情報を置くために、まず、格納されたオブジェクトのホログラムに含まれる位相情報は、２次元構成として計算される。これは、写真のように記録されるホログラムを生成する伝統的な構造のシミュレーションとして実行され得、この構造において、レーザーからのコヒーレント線は、格納されるオブジェクトにおいて分散した後、コヒーレント参照ビームによって干渉となり、この処理において生成される干渉パターンは、ホログラムとして記録される。２次元構成（２次元配列）は、レーザーリソグラフの白色ビームを駆動するのに必要な情報を含む。この例示的な実施形態において、レーザーリソグラフは、約５００００ｄｐｉ（すなわち、約０．５μｍ）の解像度を有する。レーザーリソグラフからの白色ビームは、パルス動作においてポリマーフィルム１２の外側１３を越えて案内され（ピット２０に置くためには、通常、約１ｍＷから２０ｍＷのビーム力を有する約１０ｎｓから１０μｓのパルス持続期間）、ポリマーフィルム１２（または、ポリマーフィルム１２の事前に選択された領域）に連続的に所望の情報を置く。この処理において、白色ビーム２２は、２次元配列による吸収体層１４を加熱し、これにより、上記に説明されるようにピット２０を生成する。
【００５０】
図５は、ポリマーフィルム１２において格納された情報がどのように読み出されるかを模式的に例示する。この目的のために、レーザからのコヒーレント光は、データ格納媒体１１の外側面１３に向けられる。説明を簡単にするために、このコヒーレント光（好ましくは平行に入射する）のほんの一部しか図５には例示せず、かつ参照符号は２４で示す（入射読み出しビーム）。実際には、コヒーレント光はポリマーフィルム１２を広い領域にわたって向けられ、かつ、例えば１ｍｍ２の領域を覆う。これは、格納情報を再構成するために、多くのピット２０から出射する光が記録されなければいけないからである。入射読み出しビーム２４の強度は、非常に弱いのでポリマーフィルム１２の反射率、かつしたがって格納情報、を変化させない。
【００５１】
入射読み出しビーム２４は、実用上の理由のためにポリマーフィルム１２の外側面１３に角度を有して当たるので、その一部がポリマーフィルム１２の下部面上の反射層１８で反射され、その結果、反射された読み出しビーム２６は反射層１８から出射して、途中ピット２０を通過する。（反射層１８を透過する入射読み出しビーム２４の一部は説明の簡単のために図５に例示しない）。ポリマーフィルム１２の局所反射率はピット２０に依存して異なるので、局所光路長は変化し、その結果位相シフトが生じる。この結果、球面波２８は、格納された位相情報を含み、回折パターンでデータ格納媒体１１から出射する。データ格納媒体１１から所定の距離において、球面波２８間の干渉によって生成されるホログラム画像は、検出器によって記録され得る。
【００５２】
検出器に必要な費用および記録されたホログラム画像のさらなる処理は、上記のように、格納された物体のタイプに依存する。機械読み出し可能データ（データページ）を再生するために、データ処理デバイスに接続されたＣＣＤセンサが特に適切であるが、純粋に画像再生のためには、特に画像データがさらに処理されないならば、より簡単な検出器もまた便宜である。
【００５３】
図６を使用して、ホログラム情報をホログラムデータ格納媒体によって格納するさらに可能な方法を説明する。この媒体は、図２によるホログラムデータ格納媒体と同様に構築される。参照符号３１のホログラムデータ格納媒体は、ここで再度、外側面３３、吸収体層３４、接着層３６および反射層３８を有するポリマーフィルム３２を有する。
【００５４】
情報を格納するピットを生成するために、書き込みデバイス（好ましくは、図３〜５を使用して説明したようなレーザリトグラフ）からのパルス書き込みビームの焦点を、ポリマーフィルム３２の外側面３３を介し、かつ半透明反射層３８を通って、図６にハッチングで示されたゾーン４２に合わせる。この処理の開始において、ポリマーフィルム３２の下部面（すなわち、反射層３８に対する界面）および反射層３８は、なお平坦である。ゾーン４２は吸収体層３４の領域に配置されるので、書き込みビームからの光エネルギーは効率的に熱に変換される。材料の熱伝導性が低いので、著しい温度増加が密に区切られた体積に生じ、その間にポリマーフィルム３２の界面構造が局所的に変化する。このように、ピット４０（すなわち、情報が格納された局所領域）は生成される。各ピット４０は、ポリマーフィルム３２において中心凹部４４を含む。中心凹部４４は、多少環状の周辺凸部４５によって囲まれる。凹部４４の最低点と凸部４５の最高点との間のレベル差（すなわち、ピット４０における界面構造の局所最大高さ変化）は、図６において参照符号Ｈで示される。Ｈは通常５０ｎｍ〜５００ｎｍの範囲にある。２つの隣接するピット４０の中心間距離は、好ましくは約１μｍ〜２μｍである。本実施形態において、ピット４０の直径は約０．８μｍである。丸形ピット４０以外の形状も同様に可能である。ピットの通常の寸法は、好ましくは約０．５μｍ〜１．０μｍである。
【００５５】
情報は、Ｈが２つの異なる値だけをとる（２値のうちの１つは好ましくは０である）ことにより、ピット４０においてバイナリ符号化形態で格納され得る。あるピット４０に対してＨが所定の値範囲から任意の所望に選択された値をとることが可能であるとして、ピット４０に連続的な符号化形態で情報を記録することも可能である。
【００５６】
あるいは、情報は、データ格納媒体１１と同様の方法でデータ格納媒体３１に入力され得る。すなわち、好ましくは、レーザリトグラフからの書き込みビームがポリマーフィルム３２上にパルス動作でガイドされ、その処理においてあらかじめ計算された方法でピット４０を生成する。平面図において、ピット４０を有するポリマーフィルム３２は、図３の例と同様に見える。
【００５７】
図６はまた、データ格納媒体３１に格納された情報がどのように読み出されるかを模式的に例示する。この目的のために、レーザからのコヒーレント光（好ましくは、吸収体層３４に吸収されないか、またはほんのわずかにしか吸収されない波長を有する）がデータ格納媒体３１の外側面３３に向けられる。（あるいは、非常に明るいＬＥＤが使用され得る。そのようなＬＥＤは所定の状況においてより利益のある結果を導く。主に、スペックルノイズと知られるものを低減する）。説明の簡単のために、このコヒーレント光（好ましくは平行に入射する（入射読み出しビーム））のうち、ほんの一部の詳細が図６に示される。すなわち、参照符号４６および４７に示す入射光波である。実際には、コヒーレント光はポリマーフィルム３２を広い領域にわたって向けられ、かつ、例えば１ｍｍ２の領域を覆う。これは、格納情報を再構成するために、多くのピット４０から出射する光が記録されなければいけないからである。入射読み出しビームの強度は、非常に弱いのでポリマーフィルム３２の界面構造、かつしたがって格納情報、を変化させない。
【００５８】
光波４２および４３は、互いに対して固定された位相Φを有する。実用的な理由から、光波４２および４３は、ある角度でポリマー膜３２の外面に当たり、ポリマー膜３２を通過し、反射層３８で部分的に反射し、反射光波４８および４９が反射層３８から発せられ、次に、ポリマー膜３２を通過する。明瞭にするため、部分的に透明な反射層３８を通過する入射光波４６および４７の部分は、図６には示されていない。ポリマー膜３２の局所干渉構造がピット４０の上で変化するので、位相シフトが起こり、反射光波４８および４９は、図６に示すように、位相Ψで発生する。このことから、位相情報が含まれる光波は、回折格子の形で、データ格納媒体３１から多くの方向に発せられるという結果になる。データ格納媒体３１からある程度の距離に、これらの光波の間の干渉によって引き起こされ、格納された情報の再構築を構成するホログラフィイメージが、検出器によって登録され得る。
【００５９】
図５および６を用いることによって、ポリマー膜１２または３２における局所的変化を情報の格納に用いることができる、２つの可能な方法が説明されてきた。中間の形態、すなわち、屈折率の変化およびピットにおけるポリマー膜の干渉構造の変化の両方も、同様に考えられ得る。
【００６０】
原則として、説明されてきた、情報を記憶し、情報を読み出す方法は、反射層１８または３８がない場合でさえも用いられ得る。例えば、書き込みビームは、反射層の助けがなくても、焦点を合わせることができる。反射において情報が読み出されるとき、２つの層の間の屈折率の差が用いられ得る。さらに、情報が読み出されるときに透過においてデータ格納媒体に光を通過させる、ホログラフィデータ格納媒体の実施形態が考えられる。
【００６１】
ホログラフィデータ格納媒体の層構造の第３の例示的な実施形態は、図７の模式的な長手部分に示されている。１’’で示されるデータ格納媒体は、格納層として用いられるポリマー膜２および露光される外面を有する上部層３を含む。ポリマー膜２の下、それに隣接して吸収体層４’がある。反射層８’は、吸収体層４’と、下側の（送られた状態では保護層で覆われた）接着層６との間に配置される。例示的な実施形態において、反射層８’は、アルミニウムから構成され、非常に厚く、不透明であり、最大限に反射する。
【００６２】
この層構造の場合、反射層８’は、同様に、書き込みビームの焦点を吸収体層４’に合わせることを容易にする。さらに、記憶された情報が読み出されるとき、吸収体層４’に光を通過させる。
情報が記憶されるときに（例えば、レーザリトグラフの助けにより）吸収体層４’に含まれる吸収体色素が局所的に漂白され得る場合、情報を格納するために用いられる変化は、（上述したように）吸収体色素を局所的に加熱し、これによって、ポリマー膜２に局所的な変化を引き起こすことだけでなく、吸収体色素の光学的性質、すなわち、吸収容量を局所的に変化させることによってさらに達成され得る。情報がデータ格納媒体１’’から読み出されるとき、図７に示す層構造においては、両方の効果が用いられ得る。これにより、読み出し信号のコントラストの増幅が引き起こされる。
【００６３】
以下の表１には、ホログラフィデータ格納媒体の吸収体層用の吸収体色素として、原則的に適切な色素が挙げられている。最初の列には、吸収が最大の波長（ｎｍ）が示されている。表１は、波長がある限り、波長が増大する順に並べられている。利用可能である場合、カラーインデックス（ＣＩ）および類似の名称も挙げられている。
【００６４】
表１  吸収体染料として原理的に適切な染料
【００６５】
【表１】
2004530933.tif 000003
2004530933.tif 000004
2004530933.tif 000005
2004530933.tif 000006
2004530933.tif 000007
2004530933.tif 000008
2004530933.tif 000009
2004530933.tif 000010
2004530933.tif 000011
2004530933.tif 000012
2004530933.tif 000013
2004530933.tif 000014
【図面の簡単な説明】
【００６６】
【図１】図１は、本発明によるホログラフィックデータ格納媒体の第１の実施形態の概略的な縦方向の断面図を示す。
【図２】図２は、本発明によるホログラフィックデータ格納媒体の第２の実施形態の概略的な縦方向の断面図を示す。
【図３】図３は、情報が屈折率の変化を介して格納される第２の実施形態による、本発明のホログラフィクデータ格納媒体の詳細の概略的な平面図を示す。
【図４】図４は、図３のホログラフィクデータ格納媒体の概略的な縦方向の断面図を示し、情報の入力が図示される。
【図５】図５は、図３のホログラフィクデータ格納媒体の概略的な縦方向の断面図を示し、情報の読み出しが示される。
【図６】情報が局所的界面構造を介して格納される、第２の実施形態によるホログラフィクデータ格納媒体の概略的な縦方向の断面図を示し、情報の読み出しが図示される。
【図７】図７は、本発明によるホログラフィックデータ格納媒体の第３の実施形態の概略的な縦方向の断面図を示す。
【国際公開パンフレット】
2004530933.tif 000015
2004530933.tif 000016
2004530933.tif 000017
2004530933.tif 000018
2004530933.tif 000019
2004530933.tif 000020
2004530933.tif 000021
2004530933.tif 000022
2004530933.tif 000023
2004530933.tif 000024
2004530933.tif 000025
2004530933.tif 000026
2004530933.tif 000027
2004530933.tif 000028
2004530933.tif 000029
2004530933.tif 000030
2004530933.tif 000031
2004530933.tif 000032
2004530933.tif 000033
2004530933.tif 000034
2004530933.tif 000035
2004530933.tif 000036
2004530933.tif 000037
2004530933.tif 000038
2004530933.tif 000039
2004530933.tif 000040
2004530933.tif 000041
2004530933.tif 000042
2004530933.tif 000043
2004530933.tif 000044
2004530933.tif 000045
2004530933.tif 000046
2004530933.tif 000047
2004530933.tif 000048
2004530933.tif 000049
2004530933.tif 000050
2004530933.tif 000051
2004530933.tif 000052
2004530933.tif 000053
2004530933.tif 000054
2004530933.tif 000055
2004530933.tif 000056
2004530933.tif 000057
2004530933.tif 000058
2004530933.tif 000059
2004530933.tif 000060
2004530933.tif 000061
2004530933.tif 000062
【国際調査報告】
2004530933.tif 000063
2004530933.tif 000064
2004530933.tif 000065
2004530933.tif 000066
2004530933.tif 000067
2004530933.tif 000068